(57)【要約】【課題】本発明のカラーボールの射撃銃は、１発目と、２発目のカラーボールの射撃を簡単な操作にて時間と手間とをかけずに迅速かつ確実に行え、犯人や逃走車両にカラーボールを命中させ、犯人等の追跡と検挙に役立たせ、カラーボールの発射時の衝撃を少なくする。【解決手段】本発明は、カラーボール２のボール装填口３,３を設けた第１、第２のバレル１,１′と、バレル内に進退可能に配挿した第１、第２のフォロワー５,５′と、フォロワーの後部に係脱可能な係止部６ａと、コッキングノブ７を装着したコッキングロッド６,６と、フォロワーに係脱可能に枢着された第１、第２のメインシャー９,９′と、メインシャーの後段に枢着され、係脱可能になる第１、第２のサブシャー１１,１１′と、メインシャーとサブシャーとをばね附勢するシャースプリング１２と、トリガー１４と、トリガー上部に装着しメインシャーと、サブシャーとに選択的に関与し、駆動させる長短の第１、第２の駆動足部１５ａ,１５ｂを設けたコネクタ部材１５とから成る。【選択図】図１
2005249361.tif 000002
【特許請求の範囲】
【請求項１】
イ）カラーボールのボール装填口を外周所望位置に設けた左右２連の第１、第２のバレルと、
ロ）該バレル内に緩衝機構を介して夫々進退可能に配挿した略筒状の第１、第２のフォロワーと、
ハ）該フォロワー内に遊挿し、前端にはフォロワーの後部に係脱可能になる係止部を設け、前記バレルの後端にコッキングノブが装着されたコッキングロッドと、
ニ）前記フォロワーの各前方の外周に係止手段を介して係脱可能に設けられ、係合部を有しボディ内に枢着された第１、第２のメインシャーと、
ホ）該メインシャーの後段に夫々枢着され、前記係合部が係脱可能に係合する係合段部を有する第１被動片部と第２被動片部とを有する第１、第２のサブシャーと、
ヘ）前記メインシャーと前記サブシャーとを常時外開き方向にばね附勢するシャースプリングと、
ト）ボディのグリップ部の前部に牽引可能に枢着したトリガーと、
チ）該トリガーの上部に装着し、前記トリガーの牽引操作により前記メインシャーと、前記サブシャーの前記第１被動片部または第２被動片部とに所定手順に従って選択的に関与し、駆動させる長短長さを異にする第１、第２の駆動足部を前端に設けたコネクタ部材と、から成り、
リ）前記トリガーの２回の牽引操作により連射を行うことを特徴とするカラーボールの射撃銃。
【請求項２】
ヌ）前記緩衝機構が、
ル）第１、第２のバレルに設けた前記ボール装填口よりも後に射撃セット位置が来る長さにバレルより短い長さに形成された第１、第２の前記フォロワーと、
オ）該フォロワーの外周に介装され、前端がフォロワーの外周に設けた係合鍔部に当接し、後端がバレル内の後壁に当接することにより常時フォロワーを前方へ附勢するコイルばねと、
ワ）フォロワー内に前記係止部が係脱可能に遊挿された前記コッキングロッドと、
カ）合成樹脂可塑物、ゴム、木等の緩衝材料により形成される前記コッキングノブとにより形成された
ヨ）ことを特徴とする請求項１に記載のカラーボールの射撃銃。
【請求項３】
タ）前記トリガーが、
レ）該トリガーの上部に装着されたコネクター部材と前記コッキングノブとに先端部または後端部が当接可能にばね材の附勢力を常時上方に附与することにより回動可能に枢着したセーフティーレバーと、
ソ）射撃セット位置に前記コッキングロッドを前進した時に僅かな押し込みにより外周下面にて前記セーフティーレバーの後端部を前記ばね材の附勢力に抗して押し下げ可能に設けた前記コッキングノブと、
ツ）よりなる安全機構部の解放により発射機構を作動してカラーボールの射撃を許容すること、
レ）を特徴とする請求項１,２に記載のカラーボールの射撃銃。
【発明の詳細な説明】
【技術分野】
【０００１】
本発明はカラーボールの射撃銃に関し、例えば銀行のような金融機関、コンビニエンスストアー、ビル、マンション等の管理施設、ホテル等の宿泊施設、寮施設、工場や学校のように多数人が参集するのを保安・管理する場所において最適に使用するものであり、不法に侵入した強盗等の犯人や逃走車をめがけてカラーボールを所望スピードにて用意かつ確実に射撃することにより、カラボールを命中させて破裂させ、内部に封入している塗料や蛍光塗料を付着させ、犯人等の識別を迅速かつ確実に行えるようにし、追跡と検挙に役立たせるものである。
【背景技術】
【０００２】
従来、発射用筒に取付けた収納庫内に複数個の蛍光カラーボールを収納し、この蛍光カラーボールを順次引き金に係脱可能に連係するスプリングの前部に繰り出した後に、引き金を引くことにより前記スプリングのばね力を利用して蛍光カラーボールを発射用筒から発射し、破裂させて蛍光カラーボール内に封入している蛍光塗料を犯人や逃走車に付着させ、犯人等の識別を行い、追跡と検挙に役立たせる警棒兼用の蛍光カラーペイント容器連続発射銃があった（例えば特許文献１参照）。
【特許文献１】特開２００３−１４８８９５号公報
【発明の開示】
【発明が解決しようとする課題】
【０００３】
しかしながら、特許文献１に記載の上記従来の警棒兼用の蛍光カラーペイント容器連続発射銃は、蛍光カラーボールを射撃するのに、収納庫内に収納した複数個の蛍光カラーボールを１発づつスプリングの前部に繰り出した後に、引き金を引くことにより前記スプリングのばね力を利用して蛍光カラーボールを発射用筒から発射する構造である。そして、収納庫内に収納している２発目の蛍光カラーボールを発射させるのには、受機引戻用カバーを引いてスプリングを元に戻した後に、１発目と同様の前述の操作を繰り返して引き金を引くことにより２発目、および以後の蛍光カラーボールの射撃を行うものであるので、射撃操作に多くの手間と時間がかかっていた。
【０００４】
従って、２発目以後の蛍光カラーボールの射撃操作が間髪を入れずに続行されず手間取ると、スプリングのばね力による蛍光カラーボールの射撃有効距離に限界があるので、犯人や逃走車両に蛍光カラーボールを命中し損じ、犯人等を逃走させしまう懸念があった。
【０００５】
また、特許文献１に記載の上記従来の警棒兼用の蛍光カラーペイント容器連続発射銃は、蛍光カラーボールの射撃時に、蛍光カラーボール対するスプリングのばね力の衝撃をそのまま直接的に受けるので、射撃時には大きな衝撃を受けるものであった。
【０００６】
本発明は上記従来の欠点を解決し、１発目と、その後の２発目のカラーボールの射撃を簡単な取り扱い操作により多くの時間と手間とがかからずに迅速かつ確実に行え、以て犯人や逃走車両にカラーボールを適格に命中させ、犯人等の追跡と検挙に役立ち、しかも発射時におけるカラーボールの衝撃を緩衝して小さくし、また構造簡単にして製作、組立は容易であり、量産可能になって製作コストが安価なカラーボールの射撃銃を提供することを目的とする。
【課題を解決するための手段】
【０００７】
本発明は上記課題に鑑みなされたものであり、請求項１に記載の発明は、
イ）カラーボールのボール装填口を外周所望位置に設けた左右２連の第１、第２のバレルと、
ロ）該バレル内に緩衝機構を介して夫々進退可能に配挿した略筒状の第１、第２のフォロワーと、
ハ）該フォロワー内に遊挿し、前端にはフォロワーの後部に係脱可能になる係止部を設け、前記バレルの後端にコッキングノブが装着されたコッキングロッドと、
ニ）前記フォロワーの各前方の外周に係止手段を介して係脱可能に設けられ、係合部を有しボディ内に枢着された第１、第２のメインシャーと、
ホ）該メインシャーの後段に夫々枢着され、前記係合部が係脱可能に係合する係合段部を有する第１被動片部と第２被動片部とを有する第１、第２のサブシャーと、
ヘ）前記メインシャーと前記サブシャーとを常時外開き方向にばね附勢するシャースプリングと、
ト）ボディのグリップ部の前部に牽引可能に枢着したトリガーと、
チ）該トリガーの上部に装着し、前記トリガーの牽引操作により前記メインシャーと、前記サブシャーの前記第１被動片部または第２被動片部とに所定手順に従って選択的に関与し、駆動させる長短長さを異にする第１、第２の駆動足部を前端に設けたコネクタ部材と、から成り、
リ）前記トリガーの２回の牽引操作により連射を行うことを特徴とするという手段を採用した。
【０００８】
また、本発明の請求項２に記載の発明は、請求項１において、
ヌ）前記緩衝機構が、
ル）第１、第２のバレルに設けた前記ボール装填口よりも後に射撃セット位置が来る長さにバレルより短い長さに形成された第１、第２の前記フォロワーと、
オ）該フォロワーの外周に介装され、前端がフォロワーの外周に設けた係合鍔部に当接し、後端がバレル内の後壁に当接することにより常時フォロワーを前方へ附勢するコイルばねと、
ワ）フォロワー内に前記係止部が係脱可能に遊挿された前記コッキングロッドと、
カ）合成樹脂可塑物、ゴム、木等の緩衝材料により形成される前記コッキングノブとにより形成された
ヨ）ことを特徴とするという手段を採用した。
【０００９】
また、本発明の請求項３に記載の発明は、請求項１または２において、
タ）前記トリガーが、
レ）該トリガーの上部に装着されたコネクター部材と前記コッキングノブとに先端部または後端部が当接可能にばね材の附勢力を常時上方に附与することにより回動可能に枢着したセーフティーレバーと、
ソ）射撃セット位置に前記コッキングロッドを前進した時に僅かな押し込みにより外周下面にて前記セーフティーレバーの後端部を前記ばね材の附勢力に抗して押し下げ可能に設けた前記コッキングノブと、
ツ）よりなる安全機構部の解放により発射機構を作動してカラーボールの射撃を許容すること、
レ）を特徴とするという手段を採用した。
【発明の効果】
【００１０】
本発明のカラーボールの射撃銃は、１発目と、その後の２発目のカラーボールの射撃を簡単な取り扱い操作により多くの時間と手間とがかからずに迅速かつ確実に行え、以て犯人や逃走車両にカラーボールを適格に命中させ、犯人等の追跡と検挙に役立つことができ、しかもカラーボールの発射時における衝撃を緩衝して小さくなし、また構造簡単にして製作、組立は容易であり、量産可能になって製作コストが安価になる。
【発明を実施するための最良の形態】
【００１１】
以下図面に従い、本発明を実施するための最良の形態につき詳細を説明する。
【００１２】
図１は本発明のカラーボールの射撃銃の実施形態１を示す側面図、図２は同じく斜視図、図３は同じくカラーボールを左右のバレルから発射後の状態を示す右側のバレルにおける縦断面図、図４は同じくカラーボールの装填状態を示す縦断面図、図５は同じくコッキング後の射撃準備操作完了後の状態を示す縦断面図、図６は右側のバレルから１発目のカラーボールを発射した直後を示す縦断面図、図７は同じく１発目のカラーボールを発射後に２発目のカラーボールを発射できる状態を示す縦断面図、図８は同じく発射機構を構成するメインシャーと、サブシャーと、コネクタ部材との３主要部材を示す斜視図である。
【００１３】
本実施形態１は、カラーボール２のボール装填口３,３を外周所望位置に設けた左右２連の第１、第２のバレル１,１′と、該バレル１,１′内に緩衝機構４を介して夫々進退可能に配挿した略筒状の第１、第２のフォロワー５,５′と、該フォロワー５,５′内に遊挿し、前端にはフォロワー５,５′の後部に係脱可能になる係止部６ａを設け、前記バレル５,５′の後端にコッキングノブ７,７が装着されたコッキングロッド６,６と、前記フォロワー５,５′の各前方の外周に係止手段８を介して係脱可能に設けられ、係合部９ａ,９′ａを有しボディ１０内に枢着された第１、第２のメインシャー９,９′と、該メインシャー９,９′の後段に夫々枢着され、前記係合部９ａ,９′ａが係脱可能に係合する係合段部１１ａ,１１′ａを有する第１被動片部１１Ａ,１１′Ａと第２被動片部１１Ｂ,１１′Ｂとを有する第１、第２のサブシャー１１,１１′と、前記メインシャー９,９′と前記サブシャー１１,１１′とを常時外開き方向にばね附勢するシャースプリング１２と、ボディ１０のグリップ部１０Ａの前部に牽引可能に枢着したトリガー１４と、該トリガー１４の上部に装着し、前記トリガー１４の牽引操作により前記メインシャー９,９′と、前記サブシャー１１,１１′の前記第１被動片部１１Ａ,１１′Ａまたは第２被動片部１１Ｂ,１１′Ｂとに所定手順に従って選択的に関与し、駆動させる長短長さを異にする第１、第２の駆動足部１５ａ,１５ｂを前端に設けたコネクタ部材１５と、から成り、前記トリガー１４の２回の牽引操作により連射を行うことを特徴とする。
【００１４】
前記カラーボール２は、衝撃により破裂し易い合成樹脂、例えばスチレン樹脂、ポリエチレン樹脂を用いて中空状に形成され、中空部２ａ内には、目立ち易い色相、例えば黄色、橙色、赤色、白色の塗料Ｔや、蛍光塗料が封入される。
【００１５】
前記フォロワー５,５′は、図示する実施形態１では、前記バレル1,１′の長さＬの略１／２以下の短い長さＬ１に形成される。そして、このフォロワー５,５′の前方外周には後記コイルばね１６の前端が当接する係合鍔部５ａ,５′ａが形成される。
前記係止手段８は、前記フォロワー５,５′の外周下面に設けた係合凹部５ｂ,５′ｂと、該係合凹部５ｂ,５′ｂ内に係脱可能に係合する前記メインシャー９,９′の係合肩部９ｂ,９′ｂとにより形成される。
【００１６】
また、前記メインシャー９,９′は、シャーピンＰ１により前記ボディ１０内に回動可能に枢着され、後端にはサブシャー１１,１１′の第１被動片部１１Ａ,１１′Ａに設けた係合段部１１ａ,１１′ａに係脱可能に係合される。
【００１７】
また、前記サブシャー１１,１１′は、サブシャーピンＰ２により回動可能にボディ１０内に枢着される。
【００１８】
また、前記シャースプリング１２は、捻りばねが最適に使用され、その捲回部１２ａ内に挿入したシャースプリング１２の両側の足部１２ｂ,１２ｃがそれぞれ前記メインシャー９,９′と前記サブシャー１１,１１′とに係止されることにより、ばね力が蓄力された前記捻りばねにより前記メインシャー９,９′と前記サブシャー１１,１１′とは常時外開き方向にばね附勢されるようになっている。
【００１９】
前記緩衝機構４が、バレル１,１′に設けた前記ボール装填口３,３よりも後に射撃セット位置Ｓが来る長さにバレル１,１′ の長さＬより短い長さＬ１に形成された第１、第２の前記フォロワー５,５′と、該フォロワー５,５′の外周に介装され、前端がフォロワー５,５′の外周に設けた前記係合鍔部５ａ,５′ａに当接し、後端がバレル１,１′内の後壁1ａ,1′ａに当接することにより常時フォロワー５,５′を前方へ附勢するコイルばね１６,１６と、フォロワー５,５′内に前記係止部６ａが係脱可能に遊挿された前記コッキングロッド６,６と、合成樹脂可塑物、ゴム、木等の緩衝材料により形成されて前記コッキングロッド６,６の後端に装設される前記コッキングノブ７,７とにより形成される。
【００２０】
前記トリガー１４が、該トリガー１４の上部に装着されたコネクタ部材１５と前記コッキングノブ７,７とに先端部１７ａまたは後端部１７ｂが当接可能になるセーフティーレバー１７をばね材１８の附勢力を常時上方Ｕに附与することにより枢着ピンＰ４にて回動可能に枢着し、射撃セット位置Ｓにコッキングロッド６,６を後退してから前記コッキングノブ７,７を僅かに押し込むことによりコッキングノブ７,７の外周下面にて前記セーフティーレバー１７の後端部１７bを前記ばね材１８の附勢力に抗して押し下げ可能に設けた安全機構部１９の解放により発射機構を作動してカラーボール２の射撃を許容するようになっている。
【００２１】
前記コネクタ部材１５は、コネクタピンＰ５によりトリガー１４の上端に装着され、前記コネクタピンＰ５に捲回した捻りばねｎのばね力により常時先端側が伏動するように取付けられる。前記ばね材１８としては、例えばコイルばねが使用される。
【００２２】
２０は前記安全機構部１９の一部を構成し、前記コッキングロッド６,６の後端に設けられた係合凹部であり、この係合凹部２０には前記バレル１,１′内の後端にコイルばね２１により出没自在にばね附勢されるスチールボール２２,２２が係脱可能に設けられる。
【００２３】
２３は前記ボール装填口３,３の外側に基端部が止着されることにより起伏可能になるボール止部材である。
【００２４】
なお、図中２４はトリガー１４を牽引するための指を示す。
【００２５】
本発明の実施形態１は以上の構成からなり、例えば銀行のような金融機関、コンビニエンスストアー、ビル、マンション等の管理施設、またはホテル等の宿泊施設、寮施設、工場や学校のように多数人が参集するのを保安・管理する場所において、強盗等が不法に侵入し、犯人や逃走車が逃走する場合に、射撃操作を行う使用時には以下の手順に従い各操作を行う。
【００２６】
＜カラーボール２,２の連続射撃直後の状態＞
先ず、図３に示すものは、左右２連のバレル１,１′のそれぞれから発射機構によりカラーボール２,２が射撃された直後を示している。
【００２７】
すなわち、第１、第２の２連のバレル１,１′内には、第１のフォロワー５および第２のフォロワー５′の外周に設けた係合鍔部５ａ,５′ａに一端が当接し、他端がバレル１,１′内の後壁1ａ,1′ａに当接しているコイルばね１６,１６の附勢力を受けて第１のフォロワー５および第２のフォロワー５′は、コッキングノブ７,７がそれぞれバレル１,１′の後端に係止しているコッキングロッド６,６の先端に設けた係止部６ａ,６ａに係止することにより第１および第２のバレル１,１′内を最前部に位置している。
【００２８】
この時、安全機構部１９のコイルばね２１により上方Ｕへ附勢され、第１、第２のバレル１,１′の後端部内に出没自在に設けられているスチールボール２２,２２は、コッキングロッド６,６の対応個所に設けられている係合凹部２０,２０内に係脱自在に係合している。
【００２９】
また、トリガー１４の上部に装着したコネクタ部材１５と、コッキングノブ７,７との間に回動可能に枢着した安全機構部１９のセーフティーレバー１７,１７は、それぞればね材１８,１８により上方に附勢され、後端部１７ｂ,１７ｂがコッキングノブ７,７の外周下面に当接している。
【００３０】
また、シャースプリング１２の附勢力によりメインシャー９,９′に対して相反する方向に外側へ附勢されている第１のサブシャー１１および第２のサブシャー１１′の第２被動片部１１Ｂ,１１′Ｂに、コネクタ部材１５は捻りばねｎの附勢力により先端側が伏動されて発射機構を作動できるように安全機構部１９のセーフティーレバー１７,１７の先端部１７ａ,１７ａがコネクタ部材１５に対して回動を規制するのを免除している。
【００３１】
＜カラーボール２,２の装填操作＞
そして、カラーボール２,２を第１および第２のバレル１,１′内に装填するのには、２連のバレル１,１′の後部に係止されているコッキングノブ７,７を摘んで第１のフォロワー５および第２のフォロワー５′の外周に設けた係合鍔部５ａ,５′ａに一端が当接し、他端がバレル１,１′内の後壁1ａ,1′ａに当接しているコイルばね１６,１６の附勢力に抗してコッキングロッド６,６を図３の実線位置から図３の想像線に示す位置に最後部に引っ張ると、コイルばね２１により附勢されているスチールボール２２は、コッキングロッド６,６の係合凹部２０,２０から係合が外れてコッキングロッド６,６により押し下げられる。また、第１のフォロワー５および第２のフォロワー５′は、コッキングロッド６,６の先端に設けた係止部６ａ,６ａが係止されることによりコイルばね１６,１６の附勢力に抗して第１および第２のバレル１,１′内を引っ張られて最後部に位置し、コイルばね１６,１６は縮み、ばね力が蓄力される。
【００３２】
そして、メインシャー９,９′は、シャースプリング１２,１２の附勢力により第１のフォロワー５および第２のフォロワー５′の前方の外周、下面に設けた係合凹部５ｂ,５′ｂ内に係合肩部９ｂ,９′ｂが係止することにより第１のフォロワー５および第２のフォロワー５′は、不用意にコイルばね１６,１６の附勢力を受けて第１および第２のバレル１,１′内での前進が規制される。そして、第１のフォロワー５および第２のフォロワー５′の前端部はバレル１,１′の外周側面に設けたボール装填口３,３よりも後方に位置して射撃セット位置Ｓを採ることになる。
【００３３】
その後、ボール装填口３,３から第１および第２のバレル１,１′内にカラーボール２,２を装填する（図４参照）。
【００３４】
＜安全機構部１９の働き＞
この時、図４に示すようにカラーボール２,２を装填する状態において、メインシャー９,９′の係合肩部９ｂ,９′ｂが、発射機構としての第１のフォロワー５および第２のフォロワー５′の前方の外周下面に設けた係合凹部５ｂ,５′ｂ内にシャースプリング１２,１２の附勢力により起動して係止することにより第１のフォロワー５および第２のフォロワー５′の前進を規制するのと、メインシャー９,９′は、後端部に設けた係合部９ａ,９′ａが、第１のサブシャー１１および第２のサブシャー１１′の第１被動片部１１Ａ,１１′Ａに設けた係合段部１１ａ,１１′ａに係合することによりサブシャー１１,１１′により外側（図４において時計）方向に回動するを拘束されている。
【００３５】
そして、安全機構部１９のセーフティーレバー１７は、ばね材１８の作用により先端部１７ａがコネクタ部材１５の後端に当接し、後端部１７ｂが第１のバレル１または第２のバレル１′の後端下面に当接しているので、第１および第２のサブシャー１１,１１′にはコネクタ部材１５から動力を伝達しないような離れた位置にて拘束されるため、かかる状態で不用意にトリガー１４を引いても発射機構に対して安全機構が働いてフォロワー５,５′に対するメインシャー９,９′の係合が解除されることがなく、ボール装填口３,３からバレル１,１′内に装填したカラーボール２,２は発射されずに安全である。
【００３６】
＜カラーボール２,２の射撃準備操作＞
その後、図４の状態からコッキングノブ７,７を第１および第２のバレル１,１′の後端に当接するまで僅かな距離を押圧操作すると、第１のフォロワー５および第２のフォロワー５′内において係止部６ａ,６ａが最前部に位置するまでコッキングロッド６,６は押し込まれる。そして、スチールボール２２,２２は、コッキングノブ７,７の前段においてコッキングロッド６,６に設けた係合凹部２０,２０内に係止され、コッキングロッド６,６の不用意な後進移動は規制される。そして、前述のように、コッキングノブ７,７の押し込みにより、このコッキングノブ７,７の外周下面により安全機構部１９のセーフティーレバー１７,１７は後端部１７ｂが僅かに下方に押し下げられ、先端部１７ａ側が起動してコネクタ部材１５の後端から離れることによりコネクタ部材１５の回動を許容する。
【００３７】
そして、この状態では、安全機構部１９は働いていないので、トリガー１４を引けば第１のバレル１からカラーボール２が発射可能な状態になる（図５参照）。
【００３８】
この時、トリガー１４の上端に装着しているコネクタ部材１５の右側に設けた第１の駆動足部１５ａは、右側に設ける第１のメインシャー９の後端の係合部９ａの上面に係合している。しかも、右側の第１のサブシャー１１にはコネクタ部材１５の右側の第１の駆動足部１５ａが後部に配置されている（図５参照）。
【００３９】
＜２連の右側のバレルによる１発目の射撃操作＞
この状態で、まずトリガー１４を指２４にて１回引くと、右側の第１のバレル１内に第１のフォロワー５はコイルばね１６が伸長するばね力によりカラーボール２が発射される。そして、指２４を緩め、再びトリガー１４を引くと、今度は左側の第２のバレル１′からカラーボール２が発射される。
【００４０】
すなわち、図５においてトリガー１４の１回目の牽引操作を行うと、トリガー１４の上面に装着しているコネクタ部材１５は、右側に配置した第１のサブシャー１１をシャースプリング１２の附勢力に抗して前方（反時計方向）に押圧すると、右側に配置している第１のメインシャー９と右側に配置した第１のサブシャー１１との係合部９ａと、係合段部１１ａとの係合が外れる。そして、右側の第１のフォロワー５の前方下面に設ける係合凹部５ｂから右側のメインシャー９の係合肩部９ｂの係合が外れるため、右側のバレル１内をコイルばね１６は伸長し、その附勢力により第１のフォロワー５は勢い良く前進するので、そのばね力を受けてカラーボール２は第１のバレル１から発射される。
【００４１】
この際、第１のバレル１内に進退可能に配挿された第１のフォロワー５は、バレル１よりも短い長さＬ１に形成され、そしてこのフォロワー５の外周には係合鍔部５ａに前端が当接し、後端がバレル１内の後壁１ａに当接するコイルばね１６を介装し、さらにはフォロワー５を支持するために、前端の係止部６ａが係合可能に遊挿されるコッキングロッド６の後端に取付けるコッキングノブ７は例えば合成樹脂可塑物、ゴム、木等の緩衝材料により形成されているので、カラーボール２の発射時にコイルばね１６が伸長した場合に、コッキングロッド６の先端に設けた係止部６ａにフォロワー５が係止する際に生ずる衝撃は、コッキングロッド６の後端に取付けるコッキングノブ７は、例えば合成樹脂可塑物、ゴム、木等の緩衝材料により形成されているので、カラーボール２の発射時に、コッキングノブ７がバレル１の後端に衝突することにより発生する衝撃を緩衝することができる。
【００４２】
そして、本実施形態１では、カラーボール２によるこの有効射程距離は、１５ｍ程度であり、逃走する犯人や逃走車両めがけて射撃を行うことによりカラーボール２を迅速かつ適格に命中させることができる。こうして、カラーボール２が犯人等に命中すると、衝撃により破裂し易い合成樹脂、例えばスチレン樹脂、ポリエチレン樹脂等により衝撃により破裂し易い合成樹脂により中空状に形成されているカラーボール２は、命中した時の衝撃により破裂するので、カラーボール２の中空部２ａ内に封入されている目立ち易い色相、例えば黄色、橙色、赤色、白色の塗料Ｔや、蛍光塗料が犯人や逃走車両に付着される。
【００４３】
従って、犯人等が逃走した場合に、夜間でも目立ち、追跡する手助けになり、検挙率の向上をはかることができる。
【００４４】
この際、図６の想像線に示すように、右側の第１のサブシャー１１は、前述のように反時計方向に回動して前方に移動した状態になり、右側の第１のメインシャー９は、後端の係合部９ａが右側のサブシャー１１の略二股状の第１被動片部１１Ａと第２被動片部１１Ｂとの間に配置されながら時計方向に回動される。
【００４５】
この結果、右側に配置される第１のメインシャー９の後端部の上面に乗っていたコネクタ部材１５の右側の第１の駆動足部１５ａは、右側のメインシャー９から遠ざかり（図６の想像線に示す）、コネクタ部材１５の左側に配置されている第２の駆動足部１５ｂが、左側の第２のバレル１′に対応して左側に配置されている第２のサブシャー１１′の上に係合する（図６の実線で示す）。
【００４６】
それから、１発目のカラーボール２の射撃操作においてトリガー１４を引いていた指２４の力を緩めて行くと、トリガー１４は図において時計方向に回動して旧位に復するので、このトリガー１４の上部に装設されているコネクタ部材１５の左側に配置した第２の駆動足部１５ｂは、左側に配置される第２のバレル１′に対応した左側の第２のサブシャー１１′の後部に位置する（図７参照）。
【００４７】
＜２連の左側のバレルによる２発目の射撃操作＞
そして、再びトリガー１４を指２４で引いて２回目の牽引操作を行うと、トリガー１４の上部に装設しているコネクタ部材１５の短い左側の第２駆動足部１５ｂが、カラーボール２が装填されている左側のバレル１′に対応して設けられているサブシャー１１′をシャースプリング１２の附勢力に抗して反時計方向の前方へと押圧するので、左側に配置している第２のメインシャー９′と左側に配置した第２のサブシャー１１′との係合部９′ａとの係合が外れ、係合肩部９′ｂが第２のフォロワー５′の前方の外周下面に設けた係合凹部５′ｂから離脱して係合が外れるため、左側のバレル１′内をコイルばね１６は伸長し、その附勢力により第２のフォロワー５′は勢い良く前進し、そのばね力を受けてカラーボール２は第２のバレル１′から発射される。
【００４８】
このように、１発目のカラーボール２の射撃により犯人等にカラーボール２を命中することができず、し損じた場合にも、本実施形態では、特許文献１に記載のように、受機引戻用カバーを引いてスプリングを元に戻した後に、蛍光カラーボールを１発づつスプリングの前部に繰り出した後に、引き金を引くことにより２発目の蛍光カラーボールの射撃を行うのとは異なり、トリガー１４の１発目での牽引操作を緩めることによりトリガー１４の２回目の牽引操作を間髪を入れることなく、連続して即座に行うだけの簡単な取り扱い操作により２連のバレル１,１′のうち、残りのバレル１′から連続的にカラーボール２を連射することができ、カラーボール２の中空部２ａ内に封入されている目立ち易い色相の塗料Ｔや、蛍光塗料を犯人や逃走車両に付着させ、犯人等が逃走した場合に追跡する手助けになり、検挙率の向上をはかることができる。
【産業上の利用可能性】
【００４９】
本発明のカラーボールの射撃銃は、１発目と、その後の２発目のカラーボールの射撃を簡単な取り扱い操作により多くの時間と手間とがかからずに迅速かつ確実に行え、以て犯人や逃走車両にカラーボールを適格に命中させ、犯人等の追跡と検挙に役立つことができ、しかもカラーボールの発射時の衝撃を緩衝して小さくし、また構造簡単にして製作、組立は容易であり、量産可能になって製作コストが安価になる用途・分野に適する。
【図面の簡単な説明】
【００５０】
【図１】図１は本発明のカラーボールの射撃銃の実施形態１を示す側面図である。
【図２】図２は同じく斜視図である。
【図３】図３は同じくカラーボールを左右のバレルから発射後の状態を示す右側のバレルにおける縦断面図である。
【図４】図４は同じくカラーボールの装填状態を示す縦断面図である。
【図５】図５は同じくコッキング後の射撃準備操作完了後の状態を示す縦断面図である。
【図６】図６は右側のバレルから１発目のカラーボールを発射した直後を示す縦断面図である。
【図７】図７は同じく１発目のカラーボールを発射後に２発目のカラーボールを発射できる状態を示す縦断面図である。
【図８】図８は同じく発射機構を構成するメインシャーと、サブシャーと、コネクタ部材との３主要部材を示す斜視図である。
【符号の説明】
【００５１】
１      バレル
１′    バレル
２      カラーボール
３      ボール装填口
４      緩衝機構
５      第１のフォロワー
５′    第２のフォロワー
５ａ    係合鍔部
５′ａ  係合鍔部
６      コッキングロッド
６ａ    係止部
７      コッキングノブ
８      係止手段
９      メインシャー
９′    メインシャー
９ａ    係合肩部
９′ａ  係合肩部
１０    ボディ
１１    サブシャー
１１′  サブシャー
１２    シャースプリング
１４    トリガー
１５    コネクタ部材
１５ａ  第１の駆動足部
１５ｂ  第２の駆動足部
１６    コイルばね
１７    セーフティーレバー
１８    ばね材
１９    安全機構部
【図１】
2005249361.tif 000003
【図２】
2005249361.tif 000004
【図３】
2005249361.tif 000005
【図４】
2005249361.tif 000006
【図５】
2005249361.tif 000007
【図６】
2005249361.tif 000008
【図７】
2005249361.tif 000009
【図８】
2005249361.tif 000010